(57)【要約】【課題】本発明は、乳房の脇流れを抑制しつつこれを押し上げることで、豊かな胸元の形成を図った支持部材を提供することを目的とする。【解決手段】支持部材１は、衣類における左右の乳房を覆う一対のカップ部１１に装着されて、各乳房を支持するためのものであり、保形性を有するとともに長尺なシート状に構成され、自然状態において、各乳房の形状に沿うように長手方向Ｘの両端１ａ、１ｂが近付くように湾曲形成されて各乳房の形状に沿って設けられ、上縁２０は、上方に向けて凸の曲線状に形成された上方側第１曲線部２１と、該上方側第１曲線部より前記一対のカップ部間側に連続されるとともに、下方に向けて凸の曲線状に形成された上方側第２曲線部２２と、を有し、上方側第１曲線部が、長手方向の一端１ａから、一対のカップ部間側における他端１ｂとの中間点Ｐを超える位置まで設けられている。【選択図】図３
2017150115.tif 000002
【特許請求の範囲】
【請求項１】
衣類における左右の乳房を覆う一対のカップ部に装着されて、各乳房を支持するための支持部材であって、
保形性を有するとともに長尺なシート状に構成され、
自然状態において、長手方向の両端が近付くように湾曲形成されて各乳房の形状に沿って設けられ、
上縁は、上方に向けて凸の曲線状に形成された上方側第１曲線部と、該上方側第１曲線部より前記一対のカップ部間側に連続されるとともに、下方に向けて凸の曲線状に形成された上方側第２曲線部と、を有し、
前記上方側第１曲線部が、長手方向の一端から、前記一対のカップ部間側における他端との中間点を超える位置まで設けられていることを特徴とする支持部材。
【請求項２】
下縁は、各乳房下側の輪郭線に沿うように、長手方向の両端から中央部に向かうに従って下方に向けて凸の下方側曲線部を有していることを特徴とする請求項１に記載の支持部材。
【請求項３】
網み目状に構成されていることを特徴とする請求項１又は請求項２に記載の支持部材。
【請求項４】
通気孔が形成されていることを特徴とする請求項１乃至請求項３のうち何れか一項に記載の支持部材。
【請求項５】
複数枚のシートが積層されて構成されていることを特徴とする請求項１乃至請求項４のうち何れか一項に記載の支持部材。
【請求項６】
請求項５に記載の支持部材の製造方法であって、
複数枚のシートを積層し、熱溶着により固着することを特徴とする支持部材の製造方法。
【請求項７】
衣類における左右の乳房を覆う一対のカップ部と、
請求項１乃至請求項５のうち何れか一項に記載の支持部材と、を備えたことを特徴とするカップ付き衣類。
【請求項８】
前記カップ部の頂部から下方に直線上に延長される延長線が、前記上方側第１曲線部に交差するように、前記支持部材が前記カップ部に装着されていることを特徴とする請求項７に記載のカップ付き衣類。
【発明の詳細な説明】
【技術分野】
【０００１】
本発明は、左右の乳房を覆う一対のカップ部それぞれに装着されて、各乳房を支持するための支持部材、カップ付き衣類及び、支持部材の製造方法に関する。
【背景技術】
【０００２】
従来、左右の各バストを脇側から支えるブラジャーが開示されている（例えば、特許文献１参照）。特許文献１に開示されたブラジャー１００は、図８に示すように、バストの輪郭のうち下側部分（以下、「バージスライン」と記す）に沿ってワイヤー１０１が埋設されている。このワイヤー１０１が埋設された部分のうち、脇側上端１０１ａより下方でバストの下端点１０１ｂより脇側の間で、ワイヤー１０１に一端が接すると共に、該一端より背面側に向かって下方傾斜するボーン１０２を設け、該ボーン１０２を支えにしてワイヤー１０１を脇側から支持するように構成されている。このブラジャー１００は、ワイヤー１０１によるバストの支持に加えて、ボーン１０２によりワイヤー１０１を支持することで、バストの脇側への流れを抑制するように構成されている。
【先行技術文献】
【特許文献】
【０００３】
【特許文献１】特開平１０−２９２２０８公報
【発明の概要】
【発明が解決しようとする課題】
【０００４】
特許文献１に開示されたブラジャー１００は、図８に示すように、ワイヤー１０１の支持に加えて、ボーン１０２により支持することで、バストの脇側への流れを抑制していたが、例えば、乳房のサイズが大きい場合には、ワイヤー１０１により各乳房を十分に支持することが出来ない場合がある。このため、ワイヤー１０１から乳房がはみ出してしまい、乳房がブラジャー１００のカップより脇側に流れる脇流れを抑制するのが困難だった。
【０００５】
本発明は、乳房の脇流れを抑制しつつこれを押し上げることで、豊かな胸元の形成を図った支持部材を提供することを目的とする。
【課題を解決するための手段】
【０００６】
上記目的を解決するために本発明は以下の構成を備える。
即ち、本発明は、衣類における左右の乳房を覆う一対のカップ部に装着されて、各乳房を支持するための支持部材であって、保形性を有するとともに長尺なシート状に構成され、自然状態において、長手方向の両端が近付くように湾曲形成されて各乳房の形状に沿って設けられ、上縁は、上方に向けて凸の曲線状に形成された上方側第１曲線部と、該上方側第１曲線部より前記一対のカップ部間側に連続されるとともに、下方に向けて凸の曲線状に形成された上方側第２曲線部と、を有し、前記上方側第１曲線部が、長手方向の一端から、前記一対のカップ部間側における他端との中間点を超える位置まで設けられていることを特徴とする支持部材である。
【０００７】
本発明においては、下縁は、各乳房下側の輪郭線に沿うように、長手方向の両端から中央部に向かうに従って下方に向けて凸の下方側曲線部を有していてもよい。
【０００８】
本発明においては、網み目状に構成されていてもよい。
【０００９】
また、本発明においては、通気孔が形成されていてもよい。
【００１０】
さらに、また、本発明においては、複数枚のシートが積層されて構成されていてもよい。
【００１１】
また、本発明の支持部材の製造方法は、複数枚のシートを積層し、熱溶着により固着することを特徴とする支持部材の製造方法である。
【００１２】
一方、本発明のカップ付き衣類は、衣類における左右の乳房を覆う一対のカップ部と、支持部材と、を備えたことを特徴とするカップ付き衣類である。
【００１３】
また、本発明においては、カップ部の頂部から下方に直線上に延長される延長線が、上方側第１曲線部に交差するように、支持部材がカップ部に装着されていてもよい。
【発明の効果】
【００１４】
本発明によれば、支持部材が、各乳房をカップ部の頂部に向けて押し上げるようにカップ部の下縁に沿って装着された状態で着用されることにより、各乳房にフィットしつつ、各乳房がシート状の支持部材によりその面で押される。また、支持部材は保形性を有し、自然状態において、長手方向の両端が近付くように湾曲しているから、各乳房が支持部材の長手方向の両端により挟まれた状態で持ち上げられる。ここで、上方側第１曲線部が、長手方向の一端から、一対のカップ部間側における他端との中間点を超える位置まで設けられているから、乳房の挟んで押し上げられた部分が、上方側第２曲線部の上方側に寄せられて露出する。
【００１５】
上方側第２曲線部が形成されていることにより、支持部材の上縁における一対のカップ部間側に、下方に向けて凸の切欠き部が形成されていることとなる。このような切欠き部が形成されていることにより、各乳房の膨らみを潰すように当該乳房が圧迫されることを抑制しつつ、支持部材により挟んで押し上げられた部分が上方側第２曲線部の上方に露出されて、深い谷間が形成されることとなる。これにより、乳房の脇流れを抑制しつつ豊かな胸元の形成を図ることができる。
【００１６】
また、本発明において、下縁は、各乳房下側の輪郭線に沿うように、長手方向の両端から中央部に向かうに従って下方に向けて凸の下方側曲線部を有しているのがよい。下方側曲線部が設けられていることにより、乳房が各乳房下側の輪郭線まで支持部材により支持される。これにより、乳房の脇流れを十分に抑制しつつ、乳房を、上方側第２曲線部の上方側に十分に寄せ上げることができる。
【００１７】
さらに、本発明において、支持部材は、網み目状に構成されているのがよい。これにより、支持部材を、外力が付与された状態と、外力が付与されていない自然状態と、で適度に変形するように構成することができるとともに、支持部材が折れ難くなるように構成することができる。
【００１８】
さらに、本発明において、支持部材は、通気孔が形成されているのがよい。これにより、支持部材が装着された場所が汗ばんでしまうなどの違和感を、着用者に感じさせることの抑制を図ることができる。
【００１９】
さらに、また、支持部材は、シートが複数枚積層されて構成されているのがよい。これにより、積層するシートの枚数を調整することで、変形抵抗（変形させるのに必要な力）を適度なものとすることができる。
【００２０】
本発明の支持部材の製造方法によれば、複数枚のシートが、例えば、接着剤により積層されつつ固着されている場合よりも、経時変化によりシートが剥がれてしまう等の劣化を抑制しつつ、長期の使用に耐え得る支持部材を形成することができる。
【００２１】
また、本発明のカップ付き衣類によれば、カップ部の頂部から下方に直線上に延長される延長線が、上方側第１曲線部に交差するように、支持部材がカップ部に装着されているから、このようなカップ付き衣類を着用することで、支持部材が乳房の所定位置に自然と位置決めされることとなり、乳房の挟んで押し上げられた部分が、上方側第２曲線部の上方に寄せられて露出する。この寄せられて露出した部分により、深い谷間が形成されることとなる。このようにして、乳房の脇流れを抑制しつつ豊かな胸元の形成を図ることができる。
【図面の簡単な説明】
【００２２】
【図１】本発明の一実施の形態にかかる支持部材が装着されたカップ付き衣類を示す平面図である。
【図２】図１に示された支持部材を示す斜視図である。
【図３】図１に示された支持部材を示す平面図である。
【図４】（Ａ）は、図２中のＩ−Ｉ線に沿う断面図であり、（Ｂ）は、図２中のＩＩ−ＩＩ線に沿う断面図である。
【図５】図２に示された支持部材の変形例を示す断面図である。
【図６】図５に示された支持部材の他の変形例を示す断面図である。
【図７】図２に示された支持部材の他の変形例を示す斜視図である。
【図８】特許文献１に記載された従来のブラジャーを示す斜視図である。
【発明を実施するための形態】
【００２３】
以下、本発明の例示的一態様である実施形態にかかるカップ付き衣類としてのブラジャーを図１〜図４を参照して説明する。図１は、本発明の一実施の形態にかかる支持部材１が装着されたカップ付き衣類を示す平面図である。図２は、図１に示された支持部材１を示す斜視図である。図３は、図１に示された支持部材１を示す平面図である。図４（Ａ）は、図２中のＩ−Ｉ線に沿う断面図であり、（Ｂ）は、図２中のＩＩ−ＩＩ線に沿う断面図である。
【００２４】
図１に示すように、支持部材１は、左右の乳房を覆う一対のカップ部１１それぞれに内蔵（装着）されるものである。この支持部材１が、例えば、カップ部１１の頂部Ｔより下縁側に装着された状態でブラジャー１０を着用することにより、着用者の各乳房を、各カップ部１１の頂部Ｔに向けて押し上げるためのものである。本実施形態において、支持部材１は、カップ付き衣類としてのブラジャー１０のカップ部１１に内蔵されている。なお、本実施形態では、カップ付き衣類の一例としてブラジャー１０を説明しているが、本発明はこれに限らず、水着、チューブトップ、ボディスーツ、ブラスリップ、ビスチェ等、その他の各種のカップ付き衣類に適用することができる。
【００２５】
ここで、例えば、中高年層では、乳房が下垂して乳房の上側部分が削げたり、乳房が脇流れしてしまい、豊かな胸元を演出することが難しい場合がある。また、低年層であっても、乳房が脇流れしてしまうことで、豊かな胸元を演出することが難しい場合がある。このため、乳房の脇流れを抑制しつつ、これをカップ部１１の頂部Ｔに向けて押し上げることで、豊かな胸元を演出したいという要望がある。この要望に応えるために本願の発明者は、低〜高年層全てに適用可能な支持部材１を発明した。
【００２６】
ブラジャー１０（カップ付き衣類）は、図１、図２に示すように、左右の乳房を覆うとともに支持部材１が内蔵（装着）された一対のカップ部１１と、これら一対のカップ部１１を連結するとともに一対のカップ部１１を下から支える土台部５と、土台部５に連続されて背中側に巻かれる一対のベルト（図示しない）と、各カップ部１１と各ベルトに架け渡される一対の肩ストラップ６と、を備えて構成されている。一対のベルトは、ホック（図示しない）により留められるように構成されている。一対のカップ部１１は、それぞれ、中心に向かうに従って前方に向けて突出する略半球状に形成されている。
【００２７】
支持部材１は、図１に示すように、保形性を有するとともに長尺なシート状に構成されている。この支持部材１は、各乳房をカップ部１１の頂部Ｔに向けて押し上げるように、支持部材１の下縁３０（下方側曲線部）が、カップ部１１の下縁に沿った状態で着用されるものである。この支持部材１は、着用者の乳房に対応するカップ部１１のサイズに応じた大きさとなるように形成されている。なお、本実施形態において支持部材１は、図１に示すように、カップ部１１に装着された状態で、その大部分がカップ部１１の頂部Ｔより下縁側に位置するような大きさに形成されている。
【００２８】
なお、本明細書において、矢印Ｘ、矢印Ｙ、矢印Ｚは互いに直交する方向を示している。また、支持部材１の長手方向（長尺方向）を矢印Ｘで示し、幅方向を矢印Ｙで示し、厚み方向を矢印Ｚで示す。支持部材１は、幅方向Ｙが着用者の起立方向に沿うようにカップ部１１に装着されているから、支持部材１の幅方向を「上下方向」と記す場合もある。
【００２９】
また、支持部材１は、外力が付与された状態と、外力が付与されていない自然状態と、で適度に変形するように構成されている。そして、支持部材１は、図４に示すように、自然状態において、長手方向Ｘの両端１ａ、１ｂが互いに近付くように湾曲形成（図４（Ａ）に示す）されている。さらに支持部材１は、幅方向Ｙの上下端１ｃ、１ｄが互いに近付くように僅かに湾曲形成（図４（Ｂ）に示す）されている。このように支持部材１は、図４に示すように、長手方向Ｘと幅方向Ｙとの両方に湾曲形成されていることで、各乳房の形状に沿うように構成されている。このように構成されていることで、各乳房が支持部材１の両端１ａ、１ｂにより挟まれた状態で持ち上げられるから、支持部材１が着用者の各乳房にフィットしつつ、着用者に違和感を覚えさせることなく、各乳房を所望の形状に形作ることができる。
【００３０】
支持部材１は、図２、図３に示すように、平面視の全体形状が小判型形状に形成されているとともに、一対のカップ部１１間側（前中心側）の上縁の一部が切り欠かれて構成されている。この支持部材１は、装着状態において上方側に位置する上縁２０と、上縁２０の下方側に対向する位置にある下縁３０と、を有して構成されている。
【００３１】
以下では、上縁２０と下縁３０との境界のうち、脇側の境界を「支持部材１における長手方向Ｘの一端１ａ」と記し、カップ部１１間側の境界を「支持部材１における長手方向Ｘの他端１ｂ」と記すことにする。支持部材１における長手方向Ｘの一端１ａは、支持部材１の脇側の最端部に位置し、支持部材１における長手方向Ｘの他端１ｂは、支持部材１のカップ部１１間側の最端部に位置している。
【００３２】
支持部材１の上縁２０は、図２、図３に示すように、上方に向けて凸の曲線状に形成された上方側第１曲線部２１と、上方側第１曲線部２１のカップ部１１間側に連続形成されているとともに、下方に向けて凸の曲線状に形成された上方側第２曲線部２２と、上方側第２曲線部２２のカップ部１１間側に連続形成されているとともに、上方に向けて凸の曲線状に形成された上方側第３曲線部２３と、一端が上方側第３曲線部２３に連続されるとともに、他端が長手方向Ｘの他端１ｂと同じ位置にあるように、上方に向けて凸の円弧状に形成された上方側第４曲線部２４と、を有して構成されている。上方側第１曲線部２１と上方側第２曲線部２２との境界ａは、中間点Ｐよりカップ間１１側に位置している。即ち、上方側第１曲線部２１は、長手方向Ｘの一端１ａから、他端１ｂとの中間点Ｐを超える位置（境界ａ）まで連続形成されている。
【００３３】
上方側第１曲線部２１は、上方側第１カーブ２５、上方側第２カーブ２６及び、上方側第３カーブ２７を有して構成されている。上方側第１曲線部２１は、上方側第１カーブ２５の脇側の一端が、長手方向Ｘの一端１ａと同じ位置になるように形成され、上方側第３カーブ２７のカップ部１１間側の他端が、境界ａと同じ位置になるように形成されているとともに、上方側第１カーブ２５、上方側第２カーブ２６、上方側第３カーブ２７の順で設けられている。
【００３４】
また、上方側第１曲線部２１は、曲率半径が小さい急な上方側第１カーブ２５で立ち上がり、上方側第１カーブ２５より曲率半径が大きい緩やかな上方側第２カーブ２６、上方側第２カーブ２６よりさらに曲率半径が大きい緩やかな上方側第３カーブ２７と成るように形成されている（上方側第１カーブ２５の曲率半径＜上方側第２カーブ２６の曲率半径＜上方側第３カーブ２７の曲率半径）。
【００３５】
また、上方側第２曲線部２２は、上方側第１カーブ２５と等しい曲率半径となるような急なカーブを有して構成され（上方側第２曲線部２２の曲率半径＝上方側第１カーブ２５の曲率半径）、上方側第３曲線部２３は、上方側第３カーブ２７と略等しい曲率半径となるような緩やかなカーブを有して構成されている（上方側第３曲線部２３の曲率半径＝上方側第３カーブ２７の曲率半径）。
【００３６】
このような上縁２０は、上方側第２曲線部２２から成るとともに、下方に向けて凸の切欠き部２２´を有している。この切欠き部２２´の底部２２ａは、中間点Ｐと他端１ｂとの略中間部分に位置しているとともに、一端１ａと他端１ｂとを結ぶ線より上方側に位置している。
【００３７】
なお、本実施形態では、上方側第１曲線部２１は、「上方側第１カーブ２５の曲率半径＜上方側第２カーブ２６の曲率半径＜上方側第３カーブ２７の曲率半径」となるような上方に向けて凸の曲線状に構成されているが、本発明はこれに限定されるものではない。上方側第１曲線部は、上方に向けて凸の曲線状に構成されていれば、「上方側第１カーブ２５の曲率半径＜上方側第２カーブ２６の曲率半径＜上方側第３カーブ２７の曲率半径」となるように形成されていなくともよい。即ち、上方側第１曲線部は、上方に向けて凸の曲線状に構成されていればよく、例えば、曲率が徐々に変化する曲率変化を有する曲線から構成されていてもよい。
【００３８】
下縁３０は、図２、図３に示すように、長手方向Ｘの一端１ａに連続されるとともに上方側第１曲線部２１と上下に対向する位置にある下方側第１曲線部３１と、下方側第１曲線部３１のカップ部１１間側に連続されるとともに上方側第２曲線部２２と上下に対向する位置にある下方側第２曲線部３２と、下方側第２曲線部３２のカップ部１１間側に連続されるとともに上方側第３曲線部２３と上下に対向する位置にある下方側第３曲線部３３と、を有して構成されている。この下縁３０は、下方側第１曲線部３１は曲率半径が最も小さくなるように形成され、下方側第３曲線部３３、下方側第２曲線部３２の順に曲率半径が大きくなるように形成されている（下方側第１曲線部３１の曲率半径＜下方側第３曲線部３３の曲率半径＜下方側第２曲線部３２の曲率半径）。
【００３９】
また、支持部材１は、図３、図４（Ａ）（Ｂ）に示すように、線状の部材が編まれて構成されたシート２が複数枚（本実施形態では３枚）積層されて構成されている。本実施形態において、シート２は、線状の部材として、ポリエステル系繊維であるポリエチレンテレフタレートが編まれて構成されている。このように構成されていることにより、支持部材１を、外力が付与された状態と、外力が付与されていない自然状態と、で適度に変形するように構成することができるとともに、支持部材１を折れ難くしている。また、積層するシート２の枚数を４枚以上或いは２枚にしてもよく、シート２を積層せずに１枚で用いてもよい。このように積層するシート２の枚数を調整することで、変形抵抗（変形させるのに必要な力）を適度なものにすることができる。
【００４０】
次に、支持部材１の製造方法について説明する。まず、複数枚のシート２を積層し、この状態で熱溶着により固着する。これにより形成されたシート材２Ａ（図３に示す）を支持部材１の出来上がり形状となるように切断し、長手方向Ｘの両端１ａ、１ｂが近付くように湾曲する（図４（Ａ）に示す）ように、そして、幅方向Ｙの上下端１ｃ、１ｄが近付くように湾曲する（図４（Ｂ）に示す）ように熱成形する。こうして、支持部材１を製造する。このように積層された複数枚のシート２（シート材２Ａ）は、熱溶着により固着されていることにより、例えば、接着剤により積層されつつ固着されている場合よりも、経時変化により各シート２が剥がれてしまう等の劣化を抑制しつつ、長期の使用に耐え得る支持部材１を形成することができる。
【００４１】
こうして製造された支持部材１は、例えばダブルラッセルを用いて形成された袋（図示しない）に挿入された状態で、カップ部１１の着用者側の面（裏面）に、各乳房下の輪郭線に下縁３０が沿うように適宜な位置に配置する。支持部材１が挿入された袋をカップ部１１の裏面に溶着或いは縫合して配置してもよい。ここでダブルラッセルとは、経編という方法で編まれた蜂の巣状のハニカム構造をもった通気性の良い生地のことであり、 二重になっているので強い弾力を有している。さらに、速乾性も有りさらっとした感触で着用者の不快感を軽減する生地である。
【００４２】
このような支持部材１は、図１に示すように、その下縁３０がカップ部１１の下縁に沿って装着された状態で、カップ部１１の頂部Ｔから下方に直線上に延長される延長線ＴＬが、上方側第１曲線部２１に交差するように、支持部材１がカップ部１１に装着される。これによれば、支持部材１が、各乳房下側の輪郭線に沿うように着用者に装着される。そして、支持部材１が、各乳房をカップ部１１の頂部Ｔに向けて押し上げるようにカップ部１１の下縁に沿って装着された状態で着用されることにより、各乳房にフィットしつつ、各乳房がシート状の支持部材１によりその面で押される。また、支持部材１は保形性を有し、自然状態において、長手方向Ｘの両端１ａ、１ｂが近付くように湾曲しているから、各乳房が支持部材１により挟まれた状態で持ち上げられる。ここで、上方側第１曲線部２１が、長手方向の一端１ａから、一対のカップ部１１間側における他端１ｂとの中間点Ｐを超える位置まで連続して設けられているから、乳房の挟んで押し上げられた部分が、上方側第２曲線部２２の上方側に寄せられて露出する。
【００４３】
さらに、上方側第２曲線部２２が形成されていることにより、支持部材１の上縁２０における一対のカップ部１１間側に、下方に向けて凸の切欠き部２２´が形成されていることとなる。このような切欠き部２２´が形成されていることにより、各乳房の膨らみを潰すように当該乳房が圧迫されることを抑制しつつ、支持部材１により挟んで押し上げられた部分が上方側第２曲線部２２の上方に露出されて、深い谷間が形成されることとなる。これにより、乳房の脇流れを抑制しつつ豊かな胸元の形成を図ることができる。
【００４４】
なお、本発明は、前記実施形態に限定されるものではなく、本発明の目的が達成できる他の構成等を含み、以下に示すような変形等も本発明に含まれる。
【００４５】
上述した本実施形態において、シート２は、線状の部材が編まれて構成されたシートから構成されているが、本発明はこれに限定されるものではない。支持部材１は、保形性を有する扁平な部材から構成されていれば、その他の樹脂製、或いは金属製等の各種素材から構成されていてもよく、これら異なる部材を組み合わせることで構成されていてもよく、線状材が織られた織物（布）から構成されていても、その素材単体で或いは積層されて構成されていてもよい。
【００４６】
また、本実施形態において、シート２を構成する線状の部材としては、ポリエステル系繊維であるポリエチレンテレフタレートを用いて構成されているが、ポリエチレンテレフタレートとは別のポリエステル系繊維は勿論、ポリエチレン、ポリプロピレン、ポリアミド繊維、炭素繊維、金属繊維等から構成されていてもよい。
【００４７】
また、上述した実施形態では、支持部材１は、自然状態において、幅方向Ｙの上下端１ｃ、１ｄが互いに近付くように湾曲形成されているが、本発明はこれに限定されるものではない。支持部材１は、自然状態において、幅方向Ｙの上下端１ｃ、１ｄが互いに近付くように湾曲形成されていなくてもよく、支持部材１は、自然状態において、幅方向Ｙの上下端１ｃ、１ｄを結ぶ線が真っ直ぐとなるような板状であってもよい。また、支持部材１Ａは、図５に示すように、自然状態において、各乳房の形状に沿うように幅方向Ｙの上下端１ｃ、１ｄが近付くように湾曲しているとともに、幅方向Ｙの下端１ｃから所定地点１ｅまでの湾曲の曲率半径が、幅方向Ｙの上端１ｄから所定地点１ｅまでの湾曲の曲率半径よりも小さくなるように形成されていてもよい。また、支持部材１Ｂは、図６に示すように、自然状態において、各乳房の形状に沿うように幅方向Ｙの下端１ｃと所定地点１ｅとが近付くように一方側（Ｚ方向）に凸に湾曲しているとともに、幅方向Ｙの上端１ｄと所定地点１ｅとが近付くように一方側とは逆の他方側に凸に湾曲するように形成されていてもよい。即ち、幅方向Ｙの上端１ｄから所定地点１ｅまでの湾曲が、幅方向Ｙの下端１ｃから所定地点１ｅまでの湾曲とは逆に湾曲するように形成されていてもよい。なお、図５、図６において、上述した実施形態と同一構成乃至同一機能を有する部分には、同一符号を付して説明を省略する。これにより、支持部材１Ａ、１Ｂの上端１ｄが皮膚に食い込むように乳房を圧迫することを抑制しつつ、支持部材１Ａ、１Ｂが、着用者の各乳房により一層フィットして、乳房を各カップ部１１部の頂部Ｔに向けて押し上げることができる。
【００４８】
また、図７に示すように、上述した支持部材１Ａ、１Ｂに、さらに通気孔７が形成されていてもよい。この通気孔７は、複数枚のシート２が積層されたシート材２Ａに所定間隔をあけて貫通孔が形成されることで構成されている。このように、支持部材１Ａ、１Ｂに複数の通気孔７が形成されていることにより、支持部材１Ａ、１Ｂが装着されていることの違和感を覚えさせることなく、乳房を所望の形状に形作ることができる。なお、図７において、上述した実施形態と同一構成乃至同一機能を有する部分には、同一符号を付して説明を省略する。貫通孔を設ける場合には、積層される前の各シート２において、その一部が重なるように予め貫通孔を形成しておき、積層された際に、積層された貫通孔の一部同士が重なるように構成されていてもよい。また、シート２は、メッシュ状に織られて構成されていてもよい。この場合には、貫通孔を形成する必要がない。
【００４９】
前述した各実施形態は本発明の好ましい形態を示したに過ぎず、本発明は、これら実施形態に限定されるものではない。即ち、当業者は、従来公知の知見に従い、本発明の骨子を逸脱しない範囲で種々改変して実施することができる。かかる改変によってもなお本発明の支持部材、カップ付き衣類及び、支持部材の製造方法の構成を具備する限り、勿論、本発明の範疇に含まれるものである。
【符号の説明】
【００５０】
１                  支持部材
１０                ブラジャー（カップ付き衣類）
１１                カップ部
２                  シート
２１                上方側第１曲線部
２２                上方側第２曲線部
３０                下縁（下方側曲線部）
１ａ、１ｂ          長手方向の両端（長手方向の一端、他端）
【図１】
2017150115.tif 000003
【図２】
2017150115.tif 000004
【図３】
2017150115.tif 000005
【図４】
2017150115.tif 000006
【図５】
2017150115.tif 000007
【図６】
2017150115.tif 000008
【図７】
2017150115.tif 000009
【図８】
2017150115.tif 000010